(57)【特許請求の範囲】
【請求項１】
水道水等を電解槽へ導入する給水管と、
前記電解槽から外部へ水を流出させる排水管と、
前記電解槽内に対向して配される導電性金属から形成される一対の第１電極と、
前記一対の第１電極間に配されるマグネシウムから形成される第２電極と、
前記一対の第１電極へ電圧を印加する制御手段とを備え、
前記制御手段により前記一対の第１電極に電圧を印加し前記第２電極からＭｇ2+イオンを溶出させて前記電解槽内の水をアルカリ性に改質する水改質装置において、
前記給水管の途中に、前記電解槽に導入する水にカルシウムを添加するカルシウム添加手段を設けることを特徴とする水改質装置。
【請求項２】
前記一対の第１電極は、貴金属または貴金属合金から形成されることを特徴とする請求項１に記載の水改質装置。
【請求項３】
前記カルシウム添加手段は、水を濾過する濾過手段を備えることを特徴とする請求項１または請求項２に記載の水改質装置。
【請求項４】
前記制御手段は、前記一対の第１電極の一方に高電位電圧を印加し且つ他方に低電位電圧を印加する第１通電モードと、前記一対の第１電極の一方に低電位電圧を印加し且つ他方に高電位電圧を印加する第２通電モードとを交互に切替えることを特徴とする請求項１ないし請求項３のいずれかに記載の水改質装置。
【請求項５】
前記第１通電モードおよび前記第２通電モードの各継続時間を同じ時間としたことを特徴とする請求項４に記載の水改質装置。
【発明の詳細な説明】
【０００１】
【発明の属する技術分野】
本発明は、水道水等の原水を電気分解によりアルカリ性に改質する水改質装置に関するものである。
【０００２】
【従来の技術】
水道水等の原水をマグネシウム電極により電気分解してアルカリ性の改質水を生成する水改質装置として、たとえば特開２００１−１９１０７８号公報に開示されるものがある。ここに提案される水改質装置によれば、マグネシウム電極の代わりにマグネシウムとアルカリ土類金属（たとえばカルシウム）との合金を用いると、マグネシウムイオン（Ｍｇ2+）と同時にカルシウムイオン（Ｃａ2+）が生成され、原水をアルカリ性に効率的に改質でき、電気分解のための電力を低減することができる。
【０００３】
ところで、この水改質装置により生成されるアルカリ性改質水の用途（たとえば、飲料水、浴水等）によっては、改質水中により豊富にカルシウムを含有することが要求される。
【０００４】
【発明が解決しようとする課題】
しかしながら、上述の水改質装置においては、Ｃａ2+の原料であるカルシウムを、電極をマグネシウム−カルシウム合金により形成することで供給しており、電極として必要な強度を確保するために、カルシウムの含有量は約２０重量％以下に制限されている。このため、改質水中のカルシウム含有量を十分確保できない、という問題があった。
【０００５】
本発明は、上記のような問題点に鑑みてなされたものであり、電解槽へ水を導入する給水管の途中にカルシウム添加手段を設けて、カルシウムを豊富に含有する改質水を容易に生成することのできる水改質装置を提供することを目的とする。
【０００６】
【課題を解決するための手段】
本発明は上記目的を達成するため、以下の技術的手段を採用する。
本発明の請求項１に記載の水改質装置は、水道水等を電解槽へ導入する給水管と、電解槽から外部へ水を流出させる排水管と、電解槽内に対向して配される導電性金属から形成される一対の第１電極と、一対の第１電極間に配されるマグネシウムから形成される第２電極と、一対の第１電極へ電圧を印加する制御手段とを備え、制御手段により一対の第１電極に電圧を印加し第２電極からＭｇ2+イオンを溶出させて電解槽内の水をアルカリ性に改質する水改質装置において、給水管の途中に、電解槽に導入する水中にカルシウムを添加するカルシウム添加手段を設ける構成とした。これにより、第２電極としてマグネシウムとカルシウムとの合金を用いた従来の水改質装置の場合と比較して、より豊富にカルシウムを含有する改質水を生成することができる。
【０００７】
本発明の請求項２に記載の水改質装置は、一対の第１電極は、貴金属または貴金属合金から形成される構成とした。これにより、第１電極の交換を不要とすることができる。
【０００８】
本発明の請求項３に記載の水改質装置は、カルシウム添加手段は、水を濾過する濾過手段を備える構成としている。これにより、カルシウム添加手段内のカルシウム製剤やその細片が電解槽に導入されることを防止できる。
【０００９】
本発明の請求項４に記載の水改質装置は、制御手段は、一対の第１電極の一方に高電位電圧を印加し且つ他方に低電位電圧を印加する第１通電モードと、一対の第１電極の一方に低電位電圧を印加し且つ他方に高電位電圧を印加する第２通電モードとを交互に切替える構成とした。これにより、一対の第１電極への電圧印加により電解槽において電気分解が進行する際に、マグネシウムから形成される第２電極の両面をほぼ均等に消耗させることができ、第２電極の寿命を延長することができる。
【００１０】
すなわち、一対の第１電極へ電圧を印加すると、電解槽おいては、第２電極の高電位電圧電極側表面にＭｇ（ ＯＨ ）2が析出し、この析出物質のために第２電極表面におけるＭｇ2+イオンの溶出が不均等となり、第２電極表面に亀裂、あるいは荒れ（凹凸状態）が発生する。この状態が続くと、第２電極表面からの微小なマグネシウム片の剥離が発生して電極の寿命が短縮される。そこで、一対の第１電極への電圧印加の極性を入れ換え、さらにそれを順次繰返すことにより、第２電極の表裏両面の劣化状態（亀裂、荒れ等）を均等とすることができるので、第２電極の寿命を延長することができる。
【００１１】
この場合、請求項５に記載の発明のように、第１通電モードおよび第２通電モードの継続時間を等しく設定すれば、第２電極の表裏両面の消耗度合いを確実に同等レベルにできるので第２電極の寿命を延長することができる。
【００１２】
【発明の実施の形態】
以下、本発明による水改質装置を、主として飲料用水をアルカリ性に改質するアルカリ整水器に適用した場合を例に図面に基づいて説明する。
【００１３】
図１は、本発明の一実施形態による水改質装置であるアルカリ整水器１の構成を示す説明図である。
【００１４】
アルカリ整水器１は、外部の上水道管に接続された蛇口１２の下流側に、切替え弁１０を介して接続されている。この切替え弁１０を操作することにより、水道水をそのまま放水管１３から流出させたり、アルカリ整水器１に流入させたり切替えることができる。
【００１５】
アルカリ整水器１は、大きくは、図１に示すように、一対の第１電極３ａ、３ｂおよび第２電極４を備える電解槽２と、一対の第１電極３ａ、３ｂへ電圧を印加する制御手段である制御装置５と、外部の上水道管に接続された蛇口１２からの水を電解室２に導入する給水管６と、給水管６の途中に設けられたカルシウム添加手段であるカルシウム添加装置７と、電解室２内の改質水を外部へ流出させる排水管である吐水管９とを備えている。これにより、蛇口１２からの水を電解室２へ導入する途中において、カルシウム添加装置７により水中にカルシウムを添加すると共に、この水を、電解槽２においてマグネシウムで形成された第２電極４を用いて電気分解してアルカリ性に改質するものである。
【００１６】
電解槽２は、耐腐食性に富む材料、たとえばプラスチックなどの材料で形成されている。また、電解槽２には、図１に示すように、導電性金属から形成される一対の第１電極３ａ、３ｂが互いに対向して設けられている。両第１電極３ａ、３ｂは、貴金属であるプラチナ（以降Ｐｔと書く）から形成されている。すなわち、チタン製の基材の表面にＰｔメッキを施して、あるいはチタン製の基材の表面にＰｔ粒子を焼着して形成されている。両第１電極３ａ、３ｂ間には、マグネシウムから形成された第２電極４が２枚配置されている。ここで、隣合う各電極間の隙間長さは等しくなるように設定されている。また、第１電極３ａ、３ｂは、後述する制御装置５に電気的に接続されている。
【００１７】
電解槽２の下部には、図１に示すように、蛇口１２からの水を電解槽２に導入する給水管６が接続されている。給水管６の電解槽２と反対側は、蛇口１２に接続されている。また、給水管６の途中には後述するカルシウム添加装置７が設置されている。さらに、給水管６のカルシウム添加装置７より上流側には、給水管６を開閉するための電磁弁８が取付けられている。この電磁弁８は、後述する制御装置５に電気的に接続されている。一方、電解槽２の上部には、電解槽２から外部へ水を流出させる排水管である吐水管９が接続されている。
【００１８】
カルシウム添加装置７は、給水管６の途中、すなわち、図１に示すように、蛇口１２と電解槽２との間に設けられている。図２は、本発明の一実施形態によるアルカリ整水器１におけるカルシウム添加装置７の構成を示す説明図である。
【００１９】
カルシウム添加装置７は、図２に示すように、給水管６に接続されるベース部７２およびカルシウム製剤等を内蔵するカートリッジ部７１とから構成されている。
【００２０】
ベース部７２は、樹脂等から形成され、カートリッジ部７１を固定するためのボス部７２ａを備えている。ボス部７２ａの外周には雄ねじ（図示せず）が設けられ、これと螺合することによりカートリッジ部７１がベース部７２に固定される。また、ベース部７２には、カートリッジ部７１へ水を導入する通路である給水路７２ｂ、カートリッジ部７１からの水を排出する通路である排水路７２ｃが形成されている。
【００２１】
カートリッジ部７１は、図２に示すように、樹脂等から形成されたケース７１ａ内に、カルシウムである、たとえばペレット状（比較的均一な寸法を有する成形材）に形成されたカルシウム製剤７１ｂと、水を濾過する濾過手段であるフィルタ７１ｃとを収容保持している。カルシウム製剤７１ｂとしては、乳酸カルシウム、グリセロリン酸カルシウム等が用いられている。一方、フィルタ７１ｃとしては、カルシウム製剤７１ｂより小さい直径の小孔を多数設けた板材と中空糸膜等を積層したものが用いられている。したがって、フィルタ７１ｃによりカルシウム製剤７１ｂがカートリッジ部７１から下流側へ流出し電解槽２へ侵入することを防止できる。さらに、蛇口１２からの水に含まれる種々の異物も、フィルタ７１ｃにより捕集除去することができる。カートリッジ部７１は、ボス部７２ａにねじ込むことによりベース部７２に固定される。また、カートリッジ部７１、ベース部７２間の気密はＯ−リング７３により保たれている。
【００２２】
カルシウム添加装置７を上述のような構成としたことにより、アルカリ整水器１の使用過程においてカルシウム製剤７１ｂが消耗し補給が必要となった場合、カートリッジ７１を交換するという簡単な作業でカルシウム製剤７１ｂを補給することができる。
【００２３】
蛇口１２からの水は、カルシウム添加装置７の内部を、図２中において矢印で示す方向に流れ、この間にカルシウム製剤７１ｂの表面からカルシウムイオン（Ｃａ2+）が水中に溶出する。これにより、電解槽２により生成される改質水に、Ｃａ2+、すなわちミネラル成分を豊富に含有させることができる
次に、第１電極３ａ、３ｂに電圧を印加する制御手段である制御装置５の構成について説明する。図３には、本発明の一実施形態によるアルカリ整水器１の制御装置５の電気回路構成図を示す。
【００２４】
制御装置５は、図３に示すように、たとえば１００Ｖの交流電源１１に接続している。制御装置５は、１００Ｖの交流電源１１からの交流電力を所定電圧の直流に変換する変換部５１と、変換部５１から直流電力を供給されて第１電極３ａ、３ｂへ電圧を印加する電源部５２と、変換部５１からの直流電力により作動して電源部５２に対して第１電極３ａ、３ｂへの電圧印加信号を出力する制御部５３とを備えている。すなわち、電源部５２は、制御部５３からの電圧印加信号に基づいて第１電極３ａ、３ｂへ電圧を印加する。
【００２５】
本発明の一実施形態によるアルカリ整水器１においては、変換部５１は、電源部５２へ直流２４Ｖを、制御部５３へ直流５Ｖをそれぞれ供給している。
【００２６】
電源部５２は、一対の第１電極３ａ、３ｂの一方である第１電極３ａに高電位電圧として２４Ｖを印加すると共に、他方の電極である第電極３ｂに低電位電圧として０Ｖを印加する。
【００２７】
制御部５３は、電源部５２に対して、第１電極３ａに高電位電圧として２４Ｖを印加すると共に第１電極３ｂに低電位電圧として０Ｖを印加する第１通電モードと、第１電極３ａに低電位電圧として０Ｖを印加すると共に第１電極３ｂに高電位電圧として２４Ｖを印加する第２通電モードとを交互に繰返させるように電圧印加信号を出力している。さらに、第１通電モードの通電時間と第２通電モードの通電時間とは等しくなるように設定されており、本発明の一実施形態によるアルカリ整水器１においては、それぞれ３分間に設定されている。また、制御部５３には、給水管６内に水が流れていることを検出する、言い換えると、蛇口１２から給水管６を介して改質槽２へ水道水が流入していることを検出する流水センサ８が接続されている。流水センサ８の出力信号レベルは、水が流れていない時にはＬ、水が流れている時にはＨである。
【００２８】
次に、本発明の一実施形態によるアルカリ整水器１の作動について、図４に示すアルカリ整水器１における各部の作動のタイムチャートに基づいて説明する。
【００２９】
図４は、本発明の一実施形態によるアルカリ整水器１における、流水センサ８、第１電極３ａ、３ｂそれぞれの通電状態のタイムチャートである。すなわち、図４（ａ）には、流水センサ８の出力信号レベルを、図４（ｂ）には、第１電極３ａ、３ｂへの電圧印加状態を示す。図４（ａ）、（ｂ）において、縦軸は出力信号レベル（Ｌ、Ｈ）あるいは通電状態（ＯＮ、ＯＦＦ）を示し、横軸は時間（ｔ）を示す。
【００３０】
使用者が、蛇口１２を開けるとともに、切替え弁１０を操作して、水道水が給水管６に流入すると、図４（ａ）に示すように、流水センサ８の出力信号レベルがＬからＨに変化する。これにより、制御装置５の制御部５３が作動を開始する。すなわち、図４（ｂ）に示すように、第１電極３ａ、３ｂへの電圧印加制御を開始する。
【００３１】
この時、蛇口１２からの水は、カルシウム添加装置７内を通過することによりＣａ2+（カルシウムイオン）が添加され、それから電解槽２に流入する。
【００３２】
一方、制御装置５においては、制御部５３が電源部５２に対して第１電極３ａ、３ｂへ電圧印加、すなわち３分間の第１通電モードと３分間の第２通電モードとを交互に繰返させるように電圧印加信号を出力する。その結果、第１通電モードとして第１電極３ａに高電位電圧として２４Ｖが、第１電極３ｂに低電位電圧として０Ｖが３分間印加されると、続いて第２通電モードとして、第１電極３ａに低電位電圧として０Ｖが、第１電極３ｂに高電位電圧として２４Ｖが３分間印加され、これが交互に繰り返される。この時、第１電極３ａ、３ｂ、および２枚の第２電極４において、隣合う各電極間の隙間長さは等しくなるように設定されているので、隣合う２つの電極間の電位差は８Ｖ（２４Ｖ／３）となっている。これにより、各第２電極４の消耗状態、すなわち電極寿命を同等とすることができる。
【００３３】
上述のような電圧印加により、電解槽２内においては、第１電極３ａ、３ｂ、および２枚の第２電極４により電気分解が進行する。なお、図１は、第１通電モード、すなわち第１電極３ａに２４Ｖ、第１電極３ｂに０Ｖが印加されている状態を示している。電解槽２において第１通電モード時には、図１に示すように、２４Ｖが印加される第１電極３ａが＋極、０Ｖが印加される第１電極３ｂが−極として作用する。同時に、各第２電極４においては、＋極である第１電極３ａ側表面４ａが−極、−極である第１電極３ｂ側表面４ｂが＋極として作用する。したがって、電解室２において、＋極として作用する各第２電極４の表面４ｂからＭｇ2+イオンが溶出し、−極として作用する各第２電極４の表面４ａからＨ2が発生する。そのため、下記（化１）〜（化４）式に示すような反応が生じ、電解室２内の水がアルカリ性に改質される。
【００３４】
【化１】
２Ｈ2Ｏ→２Ｈ+＋２ＯＨ-
【００３５】
【化２】
２Ｈ+＋２ｅ-→Ｈ2↑
【００３６】
【化３】
Ｍｇ→Ｍｇ2+＋２ｅ-
【００３７】
【化４】
Ｍｇ2+＋２ＯＨ― →Ｍｇ（ＯＨ）2
また、この改質水は、カルシウム添加装置７内を通過する際にＣａ2+（カルシウムイオン）が添加されているので、ミネラル成分を豊富に含んでいる。
【００３８】
上述の第１通電モードが進行すると、第２電極４の第１電極３ｂ側表面４ｂには生成されたＭｇ（ＯＨ）2が析出し始める。このＭｇ（ＯＨ）2の析出量が多くなると、第２電極４の表面４ｂからのＭｇ2+イオンの溶出が不均一となり、表面４ｂに亀裂が入ったり、表面４ｂが荒れて凹凸を生じたりする。この状態が続くと、表面４ｂから微細なマグネシウム片の剥離が発生して第２電極４の寿命が短くなってしまう。第１通電モードが３分間経過した時点で第２通電モードに切替えて、第２電極４において、こんどは表面４ｂと反対側の表面４ａからＭｇ2+イオンを溶出させると共に、表面４ｂに析出し始めたＭｇ（ＯＨ）2を水中に溶解させて表面４ｂを復元することで、第２電極４の表面４ａ、４ｂの荒れを防止し、第２電極４の寿命を長期化することができる。
【００３９】
また、第２電極４は、Ｍｇ2+イオンの溶出により消耗するため定期的な交換が必要となる。本発明の第１実施形態によるアルカリ整水器１においては、第２電極４は、第１電極３ａ、３ｂのように制御装置５に電気的に接続されていないので、その交換作業を容易に実施することができる。
【００４０】
次に、使用者が、切替え弁１０を放水管１３側に切替える、あるいは蛇口１２を閉じることにより給水管６への水道水の流入が停止すると、図４（ｂ）に示すように、流水センサ８の出力信号レベルがＨからＬへ変化する。これにより、制御装置５は、図４（ｂ）に示すように、第１電極３ａ、３ｂへの通電を停止する。
【００４１】
以上説明した、本発明の一実施形態によるアルカリ整水器１おいては、水道水等の水を電解槽２へ導入する給水管６と、電解槽２から外部へ水を流出させる吐出管９と、電解槽２内に対向して配される貴金属であるＰｔから形成される一対の第１電極３ａ、３ｂと、一対の第１電極３ａ、３ｂ間に配されるマグネシウムから形成される２枚の第２電極４と、一対の第１電極３ａ、３ｂへ電圧を印加する制御手段である制御装置５とを備え、制御装置５により一対の第１電極３ａ、３ｂに電圧を印加して第２電極４からＭｇ2+イオンを溶出させて電解槽２内の水をアルカリ性に改質する水改質装置であるアルカリ整水器１において、給水管６の途中に、電解槽２に導入する水中にカルシウムを添加するカルシウム添加手段であるカルシウム添加装置７を設ける構成とした。これにより、第２電極としてマグネシウムとカルシウムとの合金を用いた従来の水改質装置の場合と比較して、より豊富にカルシウムを含有する改質水を生成することができる。
【００４２】
また、本発明の一実施形態によるアルカリ整水器１おいては、カルシウム添加装置７は、水を濾過する濾過手段であるフィルタ７１ｃを備える構成としている。これにより、カルシウム添加装置７内のカルシウム製剤７１ｂやその細片が電解槽２に侵入することを防止できる。
【００４３】
また、本発明の一実施形態によるアルカリ整水器１おいては、制御装置５は、一対の第１電極３ａ、３ｂの一方に高電位電圧を印加し且つ他方に低電位電圧を印加する第１通電モードと、一対の第１電極３ａ、３ｂの一方に低電位電圧を印加し且つ他方に高電位電圧を印加する第２通電モードとを交互に切替えると共に、第１通電モードおよび第２通電モードの継続時間を等しく設定した。これにより、一対の第１電極への電圧印加により電解槽２において電気分解が進行した際に、マグネシウムから形成される第２電極４の表裏両面の消耗度合いを確実に同等レベルにできるので第２電極４の寿命を延長することができる。
【００４４】
なお、以上説明した、本発明の一実施形態によるアルカリ整水器１においては、第２電極４の個数を２枚としているが、これを２枚に限らなくてもよい。たとえば、３枚であってもよい。さらに、複数枚の第２電極４を電気絶縁材料、たとえば樹脂等からなるスペーサに固定してユニット化し、複数枚の第２電極４を１個の部品とすれば、第２電極４の交換作業性を向上することができる。
【００４５】
また、以上説明した、本発明の一実施形態によるアルカリ整水器１においては、第１電極３ａ、３ｂをチタン製の基材の表面に貴金属であるＰｔをメッキあるいは焼着して形成したが、Ｐｔ単体から形成してもよい。これによっても、第１電極３ａ、３ｂを交換不要とすることができる。
【００４６】
また、以上説明した、本発明の一実施形態によるアルカリ整水器１において、第２電極４としてマグネシウムの鋳造材を用いているが、他の製法によるマグネシウム材、たとえば圧延材、焼結材、押出し材等を用いてもよい。
【００４７】
また、以上説明した、本発明の一実施形態によるアルカリ整水器１において、第１電極３ａ、３ｂの少なくとも一方をマグネシウムで形成してもよい。この場合、マグネシウム製電極の総面積を大きくできるので、小容量の電解槽２で短時間に改質水を生成することができる。
【００４８】
また、以上説明した、本発明の一実施形態によるアルカリ整水器１において、マグネシウムで形成された第２電極４を廃止して、第１電極３ａ、３ｂをマグネシウムで形成してもよい。
【００４９】
また、以上説明した、本発明の一実施形態によるアルカリ整水器１においては、カルシウム製剤７１ｂをペレット状としているが、ペレット状に限定する必要はなく、他の形態、たとえば錠剤、粒状あるいは塊状であってもよい。
【００５０】
また、以上説明した、本発明の一実施形態によるアルカリ整水器１におけるカルシウム添加装置７およびカートリッジ７１の構造は、図２に示すものに限る必要はなく他の構造であってもよい。
【００５１】
また、本発明の一実施形態によるアルカリ整水器１の作動に関しては、図４（ａ）、（ｂ）の各タイムチャートに示す内容に限定するものではなく、必要に応じて変更してもよい。
【００５２】
また、本発明の一実施形態によるアルカリ整水器１においては、制御装置５の電源を１００Ｖの交流電源１１としているが、他の電源、たとえば、２００Ｖの交流電源、または蓄電池等の直流電源を用いてもよい。
【００５３】
また、本発明の一実施形態によるアルカリ整水器１における切替え弁１０は、手動式、あるいは電磁弁等を用いた動力式のどちらでもよい。
【００５４】
次に、本発明の一実施形態によるアルカリ整水器１の変形例について説明する。
【００５５】
図５は、本発明の一実施形態によるアルカリ整水器１の変形例による電解槽２における各電極配置を示す説明図である。この変形例においては、一対の第１電極３ａ、３ｂの一方を２個設けている。すなわち、図５に示すように、３個の第１電極３ａ、３ｂ、３ｃを設置すると共に、第１電極３ｂ、３ｃを接続して同極性の電極として作動させている。また、第１電極３ａを上述の一実施形態の場合と同様Ｐｔから、第１電極３ｂ、３ｃをマグネシウムから形成している。この変形例の電極構成によっても、上述の本発明の一実施形態によるアルカリ整水器１の場合と同様にアルカリ性改質水を生成することができる。この場合、第１電極３ａをマグネシウムから、第１電極３ｂ、３ｃをＰｔから形成してもよい。あるいは、第１電極３ａ、３ｂ、３ｃの全てをマグネシウムで形成してもよい。
【００５６】
図６には、本発明の一実施形態によるアルカリ整水器１の他の変形例による電解槽２内の各電極配置を示す。この他の変形例においては、上述の変形例における第１電極３ａ、３ｂ、３ｃをＰｔから形成すると共に、第１電極３ａ、３ｂ間、第１電極３ａ、３ｃ間に、図６に示すように、マグネシウム製の第２電極４を２枚ずつ配置したものである。この他の変形例の電極構成によっても、上述の本発明の一実施形態によるアルカリ整水器１の場合と同様にアルカリ性改質水を生成することができる。この場合、第１電極３ａ、３ｂ間、第１電極３ａ、３ｃ間に配置する第２電極４の枚数を、１枚ずつ、あるいは３枚以上ずつとしてもよい。また、第１電極３ａ、３ｂ、３ｃの少なくとも１つをマグネシウムで形成してもよい。
【００５７】
なお、以上説明した、本発明の一実施形態によるアルカリ整水器１、その変形例および他の変形例においては、第１電極３ａ、３ｂ、３ｃ、第２電極４を板形状としているが、板形状に限定されるものではなく他の形状であってもよい。たとえば螺旋形状としてもよい。
【００５８】
また、以上において、本発明による水改質装置を、主として飲料用水をアルカリ性に改質するアルカリ整水器１に適用した場合を例に説明してきたが、本発明による水改質装置の用途は飲料水改質用に限定するものではなく、他の用途、たとえば浴水改質用、あるいは栽培作物に散布する農業用水改質用等に用いてもよい。
【図面の簡単な説明】
【図１】本発明の第１実施形態によるアルカリ整水器１の構成を示す説明図である。
【図２】本発明の第１実施形態によるアルカリ整水器１におけるカルシウム添加装置７の構成を示す説明図である。
【図３】本発明の第１実施形態によるアルカリ整水器１の制御装置５の電気回路構成を示す説明図である。
【図４】（ａ）は、流水センサ８の出力信号レベルを示すタイムチャートである。（ｂ）は、第１電極３ａ、３ｂへの電圧印加状態を示すタイムチャートである。
【図５】本発明の一実施形態によるアルカリ整水器１の変形例における電解槽２内の電極配置構成を示す説明図である。
【図６】本発明の一実施形態によるアルカリ整水器１の他の変形例における電解槽２内の電極配置構成を示す説明図である。
【符号の説明】
１    アルカリ整水器（水改質装置）
２    電解槽
３    第１電極
３ａ、３ｂ、３ｃ    第１電極
４    第２電極
５    制御装置（制御手段）
５１    変換部
５２    電源部
５３    制御部
６    給水管
７    カルシウム添加装置（カルシウム添加手段）
７１    カートリッジ部
７１ａ    ケース
７１ｂ    カルシウム製剤（カルシウム）
７１ｃ    フィルタ（濾過手段）
７２    ベース部
７２ａ    ボス部
７２ｂ    給水路
７２ｃ    排水路
７３    Ｏ−リング
８    流水センサ
９    吐出管（排水管）
１０    切替え弁
１１    交流電源
１２    蛇口
１３    放水管
【図１】
0004016088.tif 000002
【図２】
0004016088.tif 000003
【図３】
0004016088.tif 000004
【図４】
0004016088.tif 000005
【図５】
0004016088.tif 000006
【図６】
0004016088.tif 000007